(57)【要約】【課題】  小型コンピュータ及び圧力センサー及びスピーカーを具備することで、人体の接触に反応して音声を発する抱き枕を提供する。【解決手段】  小型コンピュータ１、圧力センサー２、スピーカー３、ＯＮ／ＯＦＦスイッチ４、バイブレーション機器５、小型マイク６を備える抱き枕０であって、内部機構として小型コンピュータ７、圧力センサー８、スピーカー９、ＯＮ／ＯＦＦスイッチ１０、バイブレーション機器１１、ＡＤ変換器１２、ＤＡ変換器１３、無線ドングル１４、小型マイク１５を具備する。また小型コンピュータ１６は発声機能１８、バイブレーション機能１９、人工知能による会話機能２０、遠隔地との会話機能２１を備え、ゲームの動作する電子機器１７は、小型コンピュータ１６へのデータ発信機能２２及び小型コンピュータ１６からのデータ受信機能２３とを備える。【選択図】図１、図２、図３
2015039622.tif 000002
【特許請求の範囲】
【請求項１】
ＣＰＵ及びメモリ及びＩ／Ｏ及びストレージ及びネットワーク機能を備える小型コンピュータ、及び上記小型コンピュータに接続された圧力センサー及びスピーカーを備え、上記圧力センサーの取得した圧力値に応じて上記スピーカーから発せられる音声が変化することを特徴とする抱き枕。
【請求項２】
請求項１記載の抱き枕であって、請求項１記載の小型コンピュータに小型バイブレーション機器を接続し、請求項１記載の圧力センサーの取得した圧力値の合計値が一定値を超えると、段階的に上記バイブレーション機器が振動することを特徴とする抱き枕。
【請求項３】
請求項１乃至２記載の抱き枕であって、請求項１乃至２記載の小型コンピュータが無線通信機能を備え、上記小型コンピュータのストレージに記録された音声データの更新を無線経由で行うことができることを特徴とする抱き枕。
【請求項４】
請求項１乃至３記載の抱き枕であて、請求項１乃至３記載の小型コンピュータが小型マイク及び人工知能プログラムを備え、人間との会話が可能であることを特徴とする抱き枕。
【請求項５】
請求項１乃至４記載の抱き枕であって、請求項１記載のスピーカーより発せられる音声が、請求項３記載の無線通信機能により接続された電子機器上で動作するゲームにおけるパラメータに応じて変化することを特徴とする抱き枕。
【請求項６】
請求項５記載の抱き枕であって、抱き枕に内蔵された圧力センサーの取得した圧力値に応じて、請求項５記載のゲームのパラメータが変化することを特徴とする抱き枕及びゲームシステム。
【請求項７】
請求項１乃至４記載の抱き枕であって、遠隔地にある抱き枕と双方で小型マイクから入力された音声を小型コンピュータの無線通信機能により遠隔地へと送信することで、会話を可能とすることを特徴とする抱き枕。
【発明の詳細な説明】
【発明の詳細な説明】
【産業上の利用分野】
【０００１】本発明は、小型コンピュータ及び圧力センサー及びスピーカーを具備することで、人体の接触に反応して音声を発する抱き枕に関する。
【背景技術】
【特許文献１】特開２００６−３３０４４２
【特許文献２】特開２０１３−２２１９５
【０００２】類似の発明として特許文献１があるが、これはキャラクター人形が音声案内等を行うことを特徴とするものであって、本発明はかかった圧力に応じて様々な音声を発する抱き枕であるから、差異が大きい。【０００３】類似の発明として特許文献２があるが、これは内蔵された通電部位間の通電を検知して音声を発するぬいぐるみであるが、対して本発明は圧力センサーへの圧力値に応じて音声を変化させることを特徴とする抱き枕であるから、趣旨が異なる。
【発明が解決しようとする課題】
【０００４】本発明の目的は、抱き枕に圧力に応じた発声機能或いはバイブレーション機能或いは会話機能或いはゲーム連携機能を具備することで、単なる就寝具であった抱き枕にアミューズメントの要素を与えることにある。
【課題を解決するための手段】
【０００５】本発明によれば、ＣＰＵ及びメモリ及びＩ／Ｏ及びストレージ及びネットワーク機能を備える小型コンピュータ、それに接続された圧力センサー、スピーカーを備え、圧力センサーの取得した圧力値に応じてスピーカーから発せられる音声が変化することを特徴とする抱き枕を提供する。
【０００６】圧力センサーの取得した圧力値はＣＰＵ等を内蔵した小型コンピュータに送られ、同圧力値に応じて、同小型コンピュータに内蔵されたストレージに保存された音声データを再生し、スピーカーから流す。
【０００７】例えば０〜１ｋｇ／ｃｍ２であれば、一つ目の音声データを、１〜５ｋｇ／ｃｍ２であれば二つ目の音声データをといった具合に音声を流す。またそれぞれの音声データは複数の音声データからランダムで或いは順番に選択され、様々な音声が流れる。
【０００８】また上記抱き枕はバイブレーション機能も具備することができる。小型コンピュータに接続された小型バイブレーション機器は上記圧力値の総計値に応じて段階的に振動する。例えば合計５０ｋｇ／ｃｍ２を超えると０．５ｍ／ｓで振動し、合計１００ｋｇ／ｃｍ２を超えると１ｍ／ｓで振動するなどである。
【０００９】また上記抱き枕は無線通信機能も具備することができる。小型コンピュータがＷｉｆｉなどの無線機能を有し、上記小型コンピュータが備えるストレージ内の音声データを追加或いは削除或いは変更可能であることを特徴とする。
【００１０】また上記抱き枕は人工知能を具備し人間と会話できる機能を備えることも出来る。上記小型コンピュータが小型マイク及び人工知能プログラムを備え、人間の発する音声に応じて返答を返す。
【００１１】また上記抱き枕はＰＣなどで動作するゲームと連携することも出来る。ゲーム内のキャラクターとの親密度に応じて抱き枕の発する音声が変化する。一方抱き枕への圧力値、圧力をかける頻度に応じてゲーム内のキャラクターとの親密度を変化させることも出来る。
【００１２】また上記抱き枕は遠隔地との会話機能を具備することも出来る。抱き枕に内蔵されたマイクに音声を吹き込むと、無線通信機能により当該音声データはＰＣ等の電子機器に送られ、電子機器からネットワークを介して遠隔地の電子機器に送信の後、遠隔地の抱き枕も同様に当該音声データを無線経由で受信し、スピーカーから音声が流れる仕組みである。
【発明を実施するための形態】
【００１３】以下、本発明に係る実施の形態について図を参照して説明する。なお、ここで示す実施例は一例に過ぎず、異なる実施方法を否定するものではない。
【００１４】図２は本発明の一実施の形態に係る音声抱き枕の概略構成図である。抱き枕は小型コンピュータ７、圧力センサー８、スピーカー９、ＯＮ／ＯＦＦスイッチ１０、バイブレーション機器１１、ＡＤ変換器１２、ＤＡ変換器１３、無線ドングル１４、小型マイク１５を備える。
【００１５】上記小型コンピュータ７はＲａｓｐｂｅｒｒｙ  ＰＩ  ｔｙｐｅＢを用い、圧力センサー８はＦＳＲ４０６を、スピーカー９はＡＴ−ＳＰＧ５１を、ＯＮ／ＯＦＦスイッチ１０はＳＳ１２Ｄ０１Ｇ４を、ＡＤ変換器１２はＭＰ３００２を、ＤＡ変換器１３はＲＥＶ．Ｃを使用することとする。なお、抱き枕は一般的な５０ｃｍ×１６０ｃｍのものを使用する。
【００１６】まずＲａｓｐｂｅｒｒｙ  ＰＩにＯＳとしてＦｅｄｏｒａ  Ｌｉｎｕｘをインストールし、同時にｎｏｄｅ．ｊｓをインストールする。正常な動作を確認し、ネットワーク設定、日本語化設定を行う。
【００１７】次に圧力センサーＦＳＲ４０６をＡＤ変換器Ｐ３００２を介してＲａｓｐｂｅｒｒｙ  ＰＩに接続する。圧力値は負荷ゼロのとき抵抗値１ＭΩ、電圧５Ｖとなり、負荷最大のとき抵抗値約２ｋΩ、電圧０．８Ｖとなる。これをもとにｊａｖａｓｃｒｉｐｔでプログラムを作成し、電圧３〜４Ｖの場合をｃａｓｅ１、電圧２〜３Ｖの場合をｃａｓｅ２、電圧０．８〜２Ｖの場合をｃａｓｅ３として、それぞれに音声ファイルの参照先を割り当てる。
【００１８】音声ファイルは、例えばｃａｓｅ１が「当たってる」などであり、ｃａｓｅ２が「気持ちいい」などであり、ｃａｓｅ３が「痛い」などの音声である。音声ファイルはストレージに数百パターン程度収録されており、それぞれｃａｓｅ１〜３に分類されてランダム乃至順番に流される。
【００１９】次にＳＤカードに格納された音声ファイルを再生し、スピーカーから流す機構を構築する。Ｒａｓｐｂｅｒｒｙ  ＰＩからＤＡ変換器を介してスピーカーを接続し、上記圧力値に応じて対応する音声が流れることを確認する。
【００２０】最後にＯＮ／ＯＦＦスイッチについてもＲａｓｐｂｅｒｒｙ  ＰＩに接続してＯＮ／ＯＦＦ操作を可能とし、抱き枕に上記それぞれの機器を設置する。頭部付近にスピーカーを、腹部付近にＲａｓｐｂｅｒｒｙ  ＰＩを、股部付近に圧力センサを配置する。
【００２１】テストの結果、圧力センサーの圧力値に応じて音声を流す抱き枕は正常に動作することを確認した。
【００２２】今後の課題として、バイブレーション機能の実装、発光機能の実装、人工知能の実装、遠隔地との会話機能の実装、ゲームとの連携の実装が挙げられる。
【発明の効果】
【００２３】本発明によれば、圧力に応じて音声を発する抱き枕により、これまで単なる就寝具であった抱き枕にエンターテインメント性を付与することを可能とし、全く新しい娯楽を提供することが出来る。
【図面の簡単な説明】
【００２４】
【図１】本発明に係る圧力に応じて音声を発する抱き枕の概略図である。
【図２】本発明に係る抱き枕の内部機構に関する概略図である。
【図３】本発明に係る抱き枕及び電子機器の機能説明図である。
【符号の説明】
【００２５】０  …抱き枕
１  …小型コンピュータ
２  …圧力センサー
３  …スピーカー
４  …ＯＮ／ＯＦＦスイッチ
５  …バイブレーション機器
６  …小型マイク
７  …小型コンピュータ
８  …圧力センサー
９  …スピーカー
１０  …ＯＮ／ＯＦＦスイッチ
１１  …バイブレーション機器
１２  …ＡＤ変換器
１３  …ＤＡ変換器
１４  …無線ドングル
１５  …小型マイク
１６  …小型コンピュータ
１７  …電子機器
１８  …発声機能
１９  …バイブレーション機能
２０  …人工知能による会話機能
２１  …遠隔地との会話機能
２２  …小型コンピュータ１６へのデータ発信機能
２３  …小型コンピュータ１６からのデータ受信機能
【図１】
2015039622.tif 000003
【図２】
2015039622.tif 000004
【図３】
2015039622.tif 000005